(57)【要約】【課題】  純銀の溶解が最も容易で、価格は従来と比することなく低価格で、効率よく自然発生し続けるようにし、保守管理を容易にして、本装置によって得た銀イオンは、人体に無害で安全で安心して利用でき、水の見た目も良く、水の色、水の濁り、機器類の損傷を防ぎ、従来の課題を全て解決した優れもので一般に好まれて普及し易くする。【解決手段】  水がゴミ取り装置を通過しゴミ処理し、水に磁気をかけて化学反応を防ぎ、最も溶けやすく加工した純銀に通水したとき、塩素成分と銀との結合を防除し塩化銀とならなくさせた上で、水を４０℃〜６０℃に加温して通水し、純銀の溶解度を最も高める。人体に無害で、安全で、安心して低下価格で導入できて、水の美しさと安全性を高め、広く普及させることが出来る。【選択図】    図１
2005058992.tif 000002
【特許請求の範囲】
【請求項１】
銀を自然に溶解させてイオン化するために、純銀を用いてその純銀の幅を２．０ｍｍとして、その厚さを０．１ｍｍの長尺の板状に成型し、二次加工を容易にする。正確に５００ｇを計量した純銀を一単位の加工として長尺物とし、二次加工の際にほぐれて変形しないように束ねて、純銀の重量５００ｇであることを明確に表示した一本物であることを特徴とする一次加工方法。
【請求項２】
一次加工された重量５００ｇで、その純銀の長さを３０．０ｃｍから１．０ｍに切断して、これに通水された際、加工された純銀が変形しないで、純銀同士が水の中で貼りつかなくするためと、水に接する面積を最大にするために螺旋のコイル形状に加工した純銀をステンレス製の釜に入れて、８００℃から１，０００℃で、純銀が溶けて塊とならないよう十分に注意しながら満遍なく、ガスバーナーで焼いて、一次加工の際純銀に付着した油を焼却し、それと同時に純銀を柔軟にすることを特徴とする二次加工方法。
【請求項３】
必要とする銀イオン溶解度をコントロールするために、二次加工した純銀の重量を、水の量と、使用目的により計算して算出する。算出は銀イオン発生度の実験結果によれば、水温を４０℃から６０℃にして温度を保ち、重量５００ｇの請求項２による二次加工した純銀を、ステンレス製の綾織した網からなる篭に入れて、水２．５リットルの中に１時間浸し続ければ純銀は自然に溶解し始めて、その溶解度は１時間で、水１リットル中に０．２８ｍｇの溶解度を得ることが確認できた。これを算出基準とする。純銀の自然で容易な溶解方法は、加工した銀を、水温４０℃から６０℃で温度を一定に保ちながら、その水に１時間以上浸し続ければ良いことを特徴とした銀イオン自然発生方法。
【請求項４】
純銀を自然で溶解度を一定に保ちながら、安定して容易に溶解し続けさせるためには、４０℃から６０度の一定水温に温度を保った必要な使用量の水によって、計算して必要重量を算出して得た純銀の重量からなる銀イオン発生体を、請求項２による二次加工したステンレスの綾織した網からなる篭に入れて通水すると、銀イオンが安定して発生し続けることを特徴として、銀イオンが自然発生出来るコントロール方法。
【請求項５】
請求項２による二次加工純銀に替えて、純銀ナノ粒子及び純銀ナノワイヤーを利用して、セロファン紙に包んで通水による純銀の流出防止をし、ステンレスの綾織した網からなる篭に収納し、ステンレスの円筒形状の容器にいれて、請求項３及び４に記載する事項を備えて通水すれば、純銀の単体と全く同様に満足した銀イオンが安定して自然発生し続けることが出来ることを特徴とする純銀ナノ粒子及び純銀ナノワイヤーによる銀イオン自然発生方法。
【請求項６】
請求項２による二次加工した純銀を、ステンレスの綾織された網からなる円筒形状、又は、台形状の篭で、直径又は、長さ、及び、形状の大きさは、必要とする銀の溶解度に応じて計算によって算出し、純銀収納篭及び篭収納ユニットの大きさは純銀を収納する篭の大きさによって常に調整出来、容易に開放されないよう純銀を密封収納する篭とその篭を収納し、通水の際純銀の流失を防ぎ、純銀に不純物が付着することを防いで通水することができ、水が容易に通過する本装置は、他の水処理装置との共通性を持って、装置の脱着が容易にできるステンレス製の円筒形状をなし、配管に接続できるユニットを具備することを特徴とする銀イオン自然発生装置。
【請求項７】
本発明の銀イオン自然発生装置は、水に加温出来る装置を備えて、加温して通水し、他の水処理装置と接続共通性を持った殺菌、除菌、殺藻、防カビ対策の銀イオン発生装置として独立した水処理機器として、配管に接続できることを特徴とする銀オン自然発生装置。
【請求項８】
本発明の銀イオン自然発生装置は、浴用循環装置の他に、給湯機、冷房用屋外機に付随し接続共通性を持って、通水し殺菌、除菌、殺藻、防カビ対策装置で、独立した水処理設備機器として、多面に渡り対応できることを特徴とする銀イオン自然発生装置。
【請求項９】
本装置は、発生した銀イオンと、水に含まれる塩素イオンの結合を防ぎ、塩化銀となることを防除し、最大限の銀イオンを自然発生させるために、磁気式水処理装置を備えることを特徴とする。
【請求項１０】
本発明の銀イオン発生装置は、容易に脱着できるユニット装置に収納したステンレスの綾織した網からなる篭を取り出し、ユニット装置並びに篭及び加工した純銀を水洗いした後に、銀イオン発生体である純銀の点検並びに高温で焼いて再製及び、二次加工した純銀を追加することが出来、保守管理が容易に出来ることを特徴とした銀イオン自然発生装置の保守管理方法。
【発明の詳細な説明】
【技術分野】
【０００１】  本発明は、銀を溶解させるにあたり、銀の電気分解による手段並びに、銀メッキしたものを溶解する手段とは異なる。加工した純銀の単体に加温した水を通水して、純銀を自然に溶解させる手段によって、安定した銀イオンを自然発生させ、その銀イオンによって、殺菌、除菌、殺藻、防カビ効果に、本装置を使用する現場でその効果が発揮できて有効に活用できる純銀の単体が自然溶解し、銀イオン自然発生に関する。
【背景技術】
【０００２】  ヨーロッパでは銀の食器として古くから殺菌、毒性検知の効果があるものとして利用され、現在は、殺菌、殺藻、防カビの他に、仁丹、食器類の他に歯の治療材料、医療機器類、化粧品と多面に渡って銀を有効利用し、細菌類の殺菌に効果を上げるために最も多く利用されてきている。【０００３】  銀は水に溶解しにくいことでもよく知られていて、電気分解による溶解方法、銀メッキの溶解によるもの、ゼオライトによって銀の溶解の主力をおいて銀イオンを発生させ、銀イオンの効果を最大限利用してきた。又、水の消毒に用いられる銀イオンは、水１リットル中に、０．１ｍｇ以下の低濃度でも充分な殺菌効果はあるとされている。【０００４】  当該発明の属する分野にある従来の技術の背景を記載します。
【特許文献１】  特開平３−６０７９２号公報
【特許文献２】  実願昭６２−１３４５１６号  （実開昭６４−３９８９７号）のマイクロフィルム
【特許文献３】  実願平３−３０３６４号  （実開平６−１９８８８号）のＣＤ−ＲＯＭ
【特許文献４】  特開２００１−２４６３７２号公報
【特許文献５】  特開２００１−０４７０５８号公報
【発明の開示】
【発明が解決しようとする課題】
【０００５】  しかしながら、電気分解では設備費が高額であり、又、電極の極盤交換の保守管理の費用が高額であり、常時使用するには好まれない。又、銀メッキでは、たちまちメッキは溶けてしまい、メッキ全体が溶解する前に剥がれてしまうこともありうる。銀イオンは必要としてもこのような従来の手段は高額費用で、装置導入と保守管理が困難であったために広く普及し難い。【０００６】  本発明は、このような従来の問題点に着目してなされたものであり、電力料金及び電気分解による機器類の高額導入費、高額保守管理料の他、電極盤の高額な交換費用の削減を計り、設備費並びに、保守管理費は、従来を遥かに下回る費用で導入できて、銀イオンの必要量を簡単にコントロールして、容易に銀の溶解ができ、水の汚れをなくし、藻の発生をなくし、防カビに効果的で、殺菌効果が大きく、人体に最も安全で、安心して利用でき、臭いもないので、一般的に非常に好まれて、広く普及し易い銀の自然溶解による銀イオン自然発生方法、並びにその発生装置及びその容易なる保守管理方法を提供することを目的とることで、上記課題を解決する。
【課題を解決するための手段】
【０００７】  上記目的を達成するために、本発明による純銀の容易なる溶解方法による銀イオン自然発生方法、並びにその発生装置及びその保守管理の方法は電気分解及び銀メッキを溶解させるものと全く異なり、化学薬品を一切使用せずに、加工した純銀を水に浸して置くだけで、銀イオンを自然発生することが出来るものである。【０００８】  又、純銀が溶解した水は、水に含まれた銀イオンと塩素イオンと結合し、塩化銀となって結晶体も発生し易いが、銀を溶解する前に水に磁気を掛けることによって、水に含まれている塩素イオンと、純銀が溶解して発生した銀イオンとが結合しないように防除でき、水は、必要に応じてヘアーキャッチャーにてゴミを取り、フィルターによってぬめりを除去し、ろ過器をくぐって汚れをろ過し、ろ過器の内部を殺菌し、汚れを除去し、殺菌した水を循環させる行程を踏む。【０００９】  又、銀イオン自然発生装置に通水する手前で、水に磁気をかけて塩素成分と、銀が化学反応を起して結合され塩化銀となる成分を防除する磁気式水処理装置を備える。【００１０】  純銀の溶解に用いる水は、純水、蒸留水、天然温泉水、井水、河川水等々多種類の水に対応する。
【発明の効果】
【００１１】  本発明によれば、加工した純銀を水に浸しておけば、純銀は自然に溶解し続け、保守管理も容易で殺菌効果を最大限に引き出して、巾広く活用でき、人体に無害で、安全で安心して利用でき殺菌効果が高く、低価格なので、広く普及し易いものを提供できる。
【発明を実施するための最良の形態】
【００１２】  以下、本発明を実施する最良の形態を説明する。
本発明を適用する水として、長野県上田千曲高等学校保存の純水、同高等学校水道水（長野県営水道水）、長野県北安曇郡白馬村大字北城１２８６７−２２２番地の温泉水、岡山県真庭郡湯原町大字下湯原２４−１下湯原温泉、温泉水を３５℃で蒸発した蒸留水を用いる。これらの水で発生した銀イオン水を長野県松本市旭２丁目１０番５５号社団法人長野県薬剤師会検査センターにおいて、ＩＣＰ−ＭＳ法（誘導結合プラズマ質量分析装置）による銀の測定で平成１４年１１月１２日付けの検査結果によって以下に示す。【００１３】    検査結果書（Ｎ０５２６０）（Ｎ０５４７４）（Ｎ０５４７５）（Ｎ０５７６２）
ＩＣＰ−ＭＳ法（誘導結合プラズマ質量分析装置）による分析
１．申請者
住所  長野県上田市中央６丁目１６番５号
氏名  株式会社  洋建築設計事務所  代表取締役  渡邉  洋美
２．試験水採取場所．
長野県上田市  長野県上田千曲高等学校
３．採取者
氏名  渡邉  洋美
４．採取方法（純水のみ同条件で費を替えて計２回採取した）
イ）４０℃に保った高温槽へビーカーに取った２．５ｌの純水を入れ、ラップをかけ      て水温が４０℃になるまで調整する。
ロ）同時に高温槽に加工した純銀５００ｇを入れた篭を入れて４０℃に保っておく。
ハ）水温を確認し、４０℃になったところで加工した純銀５００ｇを入れた篭を純水      の入ったビーカーに入れ、再びラップし、高温槽で４０℃に保ったまま１時間浸し      て放置する。
ニ）１時間後加工した純銀を入れた篭を取り出し、ステンレスの網に乗せ充分に水が      切れるまで放置する。
ホ）上記に記載した条件の水を試験水として２．５ｌ採取した。
５．純水及び蒸留水を用いた検査及び検査結果
イ）検査及び検査責任者
第１回目            滝沢    光
第２回目            滝沢    光
第３回目            滝沢    光
第４回目            滝沢    光
ロ）検査年月日
第１回目検査年月日  平成１４年１２月  ２日
第２回目検査年月日  平成１４年１２月２０日
第３回目検査年月日  平成１５年  ４月１７日
第４回目検査年月日  平成１５年  ４月１７日
６．検査結果
イ）本水１ｌ中に含まれる銀の量
第１回目      ０．２８ｍｇ
第２回目      ０．２８ｍｇ
第３回目      ０．５１ｍｇ
第４回目      ０．５３ｍｇ【００１４】上記検査結果書から４０℃に保った２．５ｌの水に１時間浸したままの状態で、自然に溶解し、純水１ｌ中に０．２８ｍｇの純銀がイオン化し、又、４０℃〜６０℃に保った５．０ｌの蒸留水１ｌ中に１時間浸したままの状態で
蒸留水１ｌ中に０．５１ｍｇの純銀がイオン化したことを証明した。
７．温泉水を用いた検査及び検査成績
イ）検査及び検査責任者  社団法人  長野県医師会検査センター
滝沢    光
ロ）検査年月日      平成１４年１２月９日
８．検査結果
イ）本水１ｌ中に含まれる銀の量
０．０７１ｍｇ
９．同水の塩化銀化合物イオン検出試験
イ）試験及び試験責任者      長野県上田泉曲高等学校
化学教諭    関  弥洲武
ロ）試験立会者              株式会社  洋建築設計事務所
代表取締役  渡邉  洋美
ハ）試験管に同水を入れ、硝酸銀溶液を適量落とした
ａ）結果、塩化銀による白濁を起し、沈殿が生じた
ｂ）しばらくすると極度の紫色に変化し固形物も大きくなった
ニ）上記試験結果により、同水に銀が多く溶解されている程、水に極度の変化が起き        得ることことが想定される
ホ）よって、本試験結果のまとめとして、塩素と銀の結合を防ぐため水に磁気をかけ        て塩素との結合を防除し、化学変化によって塩化銀になることを妨げる
ヘ）８．イ）の本水１ｌ中に含まれる銀の量０．０７１ｍｇは、
本温泉水による銀の溶解は純水と比しても、  同数値を望んでも差し支えないと考える。よって、水中の塩素成分を６０％程度の除去或いは、結合を防除すれば純水の溶解度は、２８ｍｇ／ｌ×０．６＝０．１６８ｍｇ／ｌとなり、同水程度の成分が含まれた水であっても、少なくとも水１ｌ中に
０．１６８ｍｇ以上の銀の溶解があるものとして差し支えない。【００１５】  社団法人長野県薬剤師会検査センターの温泉成分分析結果によると、ナトリュウムイオンは、３，６７０ｍｇ／ｌイオンは、４，５０８ｍｇ／ｌと成分の画入寮は多く、又、ｐＨ値は７．０８となっている。そこで、水に磁気をかけることによって、約６０％以上成分の結合を防除し、銀の溶解度を高めて、溶解度をほぼ０．２ｍｇ／ｌの数値が期待できる。よって、試験結果では４０℃に保った２．５ｌの水（塩素含有量７ｍｇ／ｌ）に１時間浸したままの状態で、自然に水１ｌ中に０．１６８ｍｇの銀が溶解したことを証明したが、この結果、水１ｌ中に銀が０．２ｍｇ溶解したと置き換えても差し支えない。
１０．水道水を用いた検査及び検査成績
（採取時の塩素含有量０．７ｍｇ／ｌ管理事務所回答）
イ）検査及び検査責任者  社団法人長野県薬剤師会検査センター
滝沢    光
ロ）検査年月日          平成１４年１２月９日
１１．検査結果
イ）本水１ｌ中に含まれる銀の量
０．００８ｍｇ
１２．同水の塩化銀化合物イオン検出試験
イ）試験及び検査責任者  長野県上田泉曲高等学校
化学教諭  関  弥洲武
ロ）試験立会者          株式会社  洋建築設計事務所
代表取締役  渡邉  洋美
ハ）試験管に同水を入れ、硝酸銀を適量落とした
ａ）結果、塩化銀による白濁を起し沈殿が生じた
ｂ）しばらくすると極度の紫色に変化し固形物も大きくなった
ニ）上記試験結果により、同水に銀が多く溶解されている程、水に極度の変化が起き        得ることが想定される
ホ）よって、本試験結果のまとめとして、塩素と銀の化合を防ぐため、水に磁気をか        けて塩素を防除し、化学変化による塩化銀になることを妨げる
ヘ）１１．イ）の本水１ｌ中に含まれる  銀の量０．００８１ｍｇは、
本水道水による銀の溶解度はは純水と比しても、同数値は使っても差し支えない。  よって、水中の塩素成分を６０％除去或いは、結合防除すれば、純水の溶解度の、０．２８ｍｇ×０．６＝０．１６８ｍｇ／ｌとなり、同水程度の成分が含まれた水であっても、少なくとも水１ｌ中に０．２ｍｇ程度の銀の溶解量があるものとして差し支えない。【００１６】  上記検査結果書より、４０℃に保った２．５ｌの水道水（採取時塩素濃度０．０７ｍｇ／ｌ）に１時間浸したら、同水１ｌ中に自然に２．０ｍｇの銀が溶解して０．００８ｍｇの残留銀があったことを証明したが、この結果、水道水１ｌ中に銀が０．２ｍｇ溶解したと置換えることができる。【００１７】  又、水温４０℃〜６０℃の蒸留水５ｌにおける銀の溶出量は、平成１５年４月１７日の検査結果は、それぞれ、水１ｌ中０．５１ｍｇ・０．５３ｍｇであった。
【実施例】
【００１８】  銀の溶解度は、「日本化学学会編」改定４版・化学便覧の基礎編ＩＩ：水に対する単体及び無機化合物の溶解度によると、水１，０００ｍｇに対して、水温２５℃の場合の銀の溶解度は、表８−５より      銀の溶解度は、２．８×１０−４乗ｍｇであるよって、      水１ｌ中（１，０００ｍｇ）の銀溶出量は、０．２８ｍｇとなる。【００１９】  本試験結果は、この４０℃〜６０℃の温度で常時循環する場合、この水に１時間以上浸し、又は、循環させたらこの最大溶解量数値を上回った数値を当然得ることが出来る。【００２０】  検査結果書より、４０℃〜６０℃に保った純水に、銀の針金を厚さ０．１ｍｍとして、巾２．０ｍｍに加工し、水に接する面積を大きくし、通水したときに、純銀同士が水で貼りつかないように、コイル形状にして、８００℃〜１，０００℃で焼いた純銀の単体をステンレスの綾織した網からなる篭に入れて、１時間水に浸した結果、純水１ｌ中に０．２８ｍｇの銀が溶出したことが明らかになった。機器類の損傷を防ぎ、格安に導入でき、保守管理が容易で一般的に好まれるものになり、広く普及し易い最良のものになる。【００２１】  そこで、図１に示すような銀イオン発生装置４を用いて、水中に銀イオンを自然発生させる。その際、まず、４０℃〜６０℃に加温した水を装置１のヘアーキャッチャーを通過し、ごみ取りをした後に、磁気式水処理装置装置２を通過する。ここから、銀イオン自然発生装置３に送りこむ。すると、磁気式水処理装置２を通過した水は、塩素成分との結合を防除されているために、塩化銀となる結合が少なくなり、最大限銀の溶解が得られる。磁気式水処理装置２は市販品で良い。【００２２】  次に、４０℃〜６０℃に加温され磁気をかけた水を銀イオン自然発生装置３に送り込む。すると、純銀は自然に溶解し続ける。この銀イオン発生体は、純銀の針金を請求項１による一次加工した市販品で良い。これを、請求項２による二次加工をする。又、純銀ナノ粒子、純銀ナノワイヤーを水流による流出防止することで、請求項２による加工銀と同様に銀イオン自然発生体と同様に扱うことが出来る。この際、塩素成分が含まれている水は、水を塩化銀となる結合防除処理しなければ塩素成分と銀が結合し、化学反応によって溶解し得た銀イオンは激減する。【００２３】  次に、発生した銀イオンは、循環ポンプ７によって循環し、ろ過器６の内部において最も増殖し易い際菌類を殺菌しつつ、銀イオンは残留し、徐々にその効果を高めて行くことが出来る。又、請求項６による発明では、常時循環する水に用いるユニット、水槽の隅角部のような場所で水が停滞し易いところに固定して用いるユニットを備え、この装置を水が通過する行程を踏むことで、純銀は容易で持続して溶解し、銀イオンは自然に発生し続ける。【００２４】  純銀が効率よく容易に溶解し続けるために、純銀の針金を二次加工したものをステンレスの綾織した網からなる篭に入れて密封して純銀が水流によって流出することを防除し定着させた。純銀を篭に入れ、ユニットとして備えることによって、関連配管との脱着、保守管理を容易にすることが出来る。
【産業上の利用可能性】
【００２５】  すでに、本発明によって得られる銀イオンは、入浴施設のレジオネラ菌対策として使用されている、次亜塩素酸ナトリュウムによる殺菌、又は、電気分解によって得る銀イオンの殺菌の代替又、オゾン、光触媒等々による殺菌方法を採用してきたが、従来、銀イオンによる装置は設置費用、保守費用に大金を必要としたために、最良の殺菌、除菌、殺藻、防カビ効果があることは明確であったが導入し難かった。そこで、本発明は、全ての課題を解決できる。又、従来の銀イオン発生装置と比すれば、本発明は、価格が安いために、入浴施設、医療、福祉施設、空調機器、浄水機、水処理機器、酪農、養鶏、農業等々の除菌、殺菌、消毒、更には殺藻、防カビの用途に範囲を広く普及できる。
【図面の簡単な説明】
【００２６】
【図１】  本発明を設置する、入浴施設の水をろ過器によって水をろ過し、循環して利用する施設の全図であり、本装置を設置する位置を示し、配置し、浴槽の隅角部に固定し、本三角装置を浴槽の隅角部に配置した構成図の略図である。
【図２】  本発明を適応した補助するヘアキャッチャー、ゴミ取り装置の詳細図である。
【図３】  本発明の適応した循環用、固定用銀イオン自然発生装置の詳細図である。
【図４】  本発明の適応した隅角部三角形銀イオン自然発生装置の詳細図である。
【図５】  本発明の適応した隅角部三角形銀イオン自然発生装置の詳細図である。
【図６】  本発明の適応した二次加工した銀の単体写真である。
【符号の説明】
１・・・ステンレス製綾織篭ヘアーキャッチャー本体
２・・・ステンレス製磁気式水処理装置本体
３・・・コイル状に加工した純銀の単体
４・・・ステンレス製銀イオン自然発生円筒形装置本体
５・・・ステンレス製銀イオン自然発生三角形装置本体
６・・・ろ過装置
７・・・循環ポンプ
８・・・フィルター収納篭
９・・・フィルター
１０・・・補助管
１１・・・ステンレス製接続フランジ
１２・・・ステンレス製クリップ止め
１３・・・ステンレス綾織篭キャップ
１４・・・ステンレス製補助管
１５・・・ステンレス製接続フランジ
１６・・・ステンレス製純銀収納篭
１７・・・水方向を示す
１８・・・ステンレス製純銀収納篭キャップ
１９・・・スポット溶接部
２０・・・二次加工純銀
２１・・・空間部
２２・・・水槽仕上り面
２３・・・ステンレス綾織網付きイオン発生流出窓
２４・・・純銀収納篭設置位置
２５・・・ステンレス製綾織純銀収納篭
２６・・・ステンレス綾織篭キャップ
２７・・・ステンレス篭スポット溶接部分
２８・・・ステンレス製補強材（必要に応じた対応）
２９・・・本体差し込み部
３０・・・ステンレス製本体天板
３１・・・ステンレス製純銀収納篭受けステンレスアングル
３２・・・ステンレス製綾織網
３３・・・ステンレス製取り付けビス
【図１】
2005058992.tif 000003
【図２】
2005058992.tif 000004
【図３】
2005058992.tif 000005
【図４】
2005058992.tif 000006
【図５】
2005058992.tif 000007
【図６】
2005058992.tif 000008